(57)【特許請求の範囲】
【請求項１】
施錠によって保管対象物を保管すると共に解錠することにより保管対象物を取り出し可能な保管手段と、
前記保管手段を解錠するために生態情報を入力する生体情報入力手段と、
前記生体情報を予め登録する生体情報登録手段と、
前記入力された生体情報を前記登録された生体情報と照合する生体情報照合手段と、
前記生体情報の照合で登録者の確認がなされたとき前記保管手段の解錠を行う解錠制御手段と、
前記解錠に基づき少なくとも前記照合が確認された登録者を記録する記録手段とを備えた保管対象物管理装置において、
前記保管手段は、解錠することにより開くことが可能な扉及びそれぞれ施錠によって保管対象物を保管すると共に選択的な解錠により保管対象物をそれぞれ取り出し可能な複数の内部保管棚を備え、
前記生体情報入力手段は、前記扉を解錠するために生体情報を入力する外部生体情報入力手段及び前記内部保管棚を解錠するために生体情報を入力する内部生体情報入力手段を備え、
前記内部保管棚の何れかを選択するために入力する棚選択入力手段を設け、
前記解錠制御手段は、前記外部生体情報入力手段により入力された生体情報の照合で登録者の確認がなされたとき前記扉の解錠を行う扉解錠制御手段及び前記内部生体情報入力手段により入力された生体情報の照合で登録者の確認がなされ且つ前記棚選択入力手段による内部保管棚の選択入力があったとき選択された内部保管棚の解錠を行う棚解錠制御手段を備え、
前記内部生体情報入力手段を、前記扉を開いた内部に設けると共に、前記外部生体情報入力手段を、前記扉の外面に設けたことを特徴とする保管対象物管理装置。
【請求項２】
請求項１記載の保管対象物管理装置であって、
前記記録手段は、解錠時間を合わせて記録することを特徴とする保管対象物管理装置。
【請求項３】
請求項１又は２記載の保管対象物管理装置であって、
前記保管手段は、金庫であることを特徴とする保管対象物管理装置。
【発明の詳細な説明】
【０００１】
【発明の属する技術分野】
本発明は、金庫等において保管対象物を管理する保管対象物管理装置に関する。
【０００２】
【従来の技術】
従来のこの種の管理装置としては、例えば特開平６−１３３０６８号公報に記載されたものがある。この従来の装置は、金庫内の保管対象物の盗難を良好に防止できるようにしたもので、金庫は電気信号により解錠及び施錠される電子錠と鍵などにより機械的に解錠及び施錠されるシリンダ錠とを有し、電子錠を解錠した状態でシリンダ錠を解錠したときにのみ扉を開けることができる。そして、金庫管理センター側から電話回線を介してコマンドが送信され、検出部によってコマンドが検出されたときに電子錠を解錠あるいは施錠するようにし、金庫を遠隔管理できるようにしている。
【０００３】
【発明が解決しようとする課題】
しかしながら、上記のような遠隔管理では、金庫管理センターからコマンドが送信されなければ金庫の扉を開けることができず、複数の従業者が金庫をそれぞれ随時開ける必要がある場合には操作が煩雑になるという問題がある。
【０００４】
本発明は、複数の従業者が随時金庫を開けることができながら、確実な管理を行うことのできる保管対象物管理装置の提供を課題とする。
【０００５】
請求項１の発明は、施錠によって保管対象物を保管すると共に解錠することにより保管対象物を取り出し可能な保管手段と、前記保管手段を解錠するために生態情報を入力する生体情報入力手段と、前記生体情報を予め登録する生体情報登録手段と、前記入力された生体情報を前記登録された生体情報と照合する生体情報照合手段と、前記生体情報の照合で登録者の確認がなされたとき前記保管手段の解錠を行う解錠制御手段と、前記解錠に基づき少なくとも前記照合が確認された登録者を記録する記録手段とを備えた保管対象物管理装置において、前記保管手段は、解錠することにより開くことが可能な扉及びそれぞれ施錠によって保管対象物を保管すると共に選択的な解錠により保管対象物をそれぞれ取り出し可能な複数の内部保管棚を備え、前記生体情報入力手段は、前記扉を解錠するために生体情報を入力する外部生体情報入力手段及び前記内部保管棚を解錠するために生体情報を入力する内部生体情報入力手段を備え、前記内部保管棚の何れかを選択するために入力する棚選択入力手段を設け、前記解錠制御手段は、前記外部生体情報入力手段により入力された生体情報の照合で登録者の確認がなされたとき前記扉の解錠を行う扉解錠制御手段及び前記内部生体情報入力手段により入力された生体情報の照合で登録者の確認がなされ且つ前記棚選択入力手段による内部保管棚の選択入力があったとき選択された内部保管棚の解錠を行う棚解錠制御手段を備え、前記内部生体情報入力手段を、前記扉を開いた内部に設けると共に、前記外部生体情報入力手段を、前記扉の外面に設けたことを特徴とする。
【０００６】
請求項２の発明は、請求項１記載の保管対象物管理装置であって、前記記録手段は、解錠時間を合わせて記録することを特徴とする。
【０００７】
請求項３の発明は、請求項１又は２記載の保管対象物管理装置であって、前記保管手段は、金庫であることを特徴とする。
【００１２】
【発明の効果】
請求項１の発明では、保管手段は、施錠によって保管対象物を保管すると共に、解錠することにより保管対象物を取り出し可能とする。生体情報入力手段では、保管手段を解錠するために生体情報を入力することができる。生体情報登録手段では生体情報を予め登録することができる。生体情報照合手段では入力された生体情報を登録された生体情報と照合することができる。解錠制御手段では生体情報の照合で登録者の確認がなされたとき保管手段の解錠を行うことができる。また記録手段では解錠に基づき少なくとも前記照合が確認された登録者を記録することができる。
【００１３】
従って、保管手段に対しコマンドの送信がなくても生体情報の入力によって保管手段の解錠を行うことができ、作業者は保管手段を随時解錠して保管対象物を容易に取り出すことができる。また保管手段が解錠されたときには照合が確認された登録者が記録されるため、どの従業者が保管手段を解錠したのかを容易に知ることができ、保管手段及び保管対象物の確実な管理を行うことができる。
また、保管手段は、解錠することによって扉を開くことができ、また扉を開いた状態で複数の内部保管棚に対し施錠によって保管対象物を保管すると共に、選択的な解錠により保管対象物をそれぞれ取り出すことができる。生体情報入力手段の外部生体情報入力手段は、扉を解錠するために生体情報を入力することができ、内部生体情報入力手段は内部保管棚を解錠するために生体情報を入力することができる。また棚選択入力手段は、内部保管棚の何れかを選択するために入力することができる。解錠制御手段の扉解錠制御手段は、外部生体情報入力手段により入力された生体情報の照合で登録者の確認がなされたとき扉の解錠を行うことができ、棚解錠制御手段は、内部生体情報入力手段により入力された生体情報の照合で登録者の確認がなされ且つ、棚選択入力手段による棚の選択入力があったとき選択された内部保管棚の解錠を行うことができる。
従って、従業者は、生体情報の入力によってまず金庫の扉を開き、次いで生体情報の入力及び棚の選択入力によって複数の内部保管棚の何れかを選択的に開くことができ、保管対象物の管理をより確実に行うことができる。
【００１４】
請求項２の発明では、請求項１の発明の効果に加え、記録手段は、解錠時間を合わせて記録することができる。従って、何時、どの従業者が保管手段を解錠したのかを容易に知ることができ、より確実な管理を行うことができる。
【００１５】
請求項３の発明では、請求項１又は２の発明の効果に加え、保管手段は金庫であり、金庫の保管対象物の管理を確実に行うことができる。
【００１８】
請求項４の発明では、撮像手段によって保管対象物の保管状況を撮像し、解錠がなされたとき撮像手段による画像を記録手段によって記録することができる。従って、保管手段からどの保管対象物が誰によって取り出されたかを画像により容易に確認することができる。
【００２０】
前記記録手段は、フックの解錠信号により取り出されたキーの種類を記録することができる。
【００２１】
従って、どの従業者によってどのキーが何時取り出されたかを容易に確認することができ、より確実な管理を行うことができる。
【００２２】
【発明の実施の形態】
図１は本発明の全体構成を示すブロック図である。図１のように、本発明の保管対象物管理装置は、保管手段ＣＬ１と、生体情報入力手段ＣＬ２と、生体情報登録手段ＣＬ３と、生体情報照合手段ＣＬ４と、解錠制御手段ＣＬ５と、記録手段ＣＬ６とを備えている。
【００２３】
前記保管手段ＣＬ１は、電子ロック等の施錠によって保管対象物を保管すると共に、解錠することにより保管対象物を取り出し可能にするもので、例えば後述するように金庫等によって構成される。前記生体情報入力手段ＣＬ２は、保管手段ＣＬ１を解錠するために生体情報として例えば指紋等を入力するものである。前記生体情報登録手段ＣＬ３は、生体情報として例えば指紋等を予め登録するものである。
【００２４】
前記生体情報照合手段ＣＬ４は、前記入力された生体情報としての指紋を前記登録された生体情報としての指紋と照合するものである。前記解錠制御手段ＣＬ５は、生体情報としての指紋の照合で登録者としての従業者の確認がなされたとき、前記保管手段ＣＬ１の解錠を行うものである。前記記録手段ＣＬ６は、前記解錠に基づき少なくとも照合が確認された登録者を記録するものである。
【００２５】
従って、生体情報としての指紋の入力によって保管手段ＣＬ１を解錠し、保管対象物を容易に取り出すことができると共に、記録手段ＣＬ６によって照合が確認された従業者、解錠時間を記録することにより、何時、どの従業者が保管手段ＣＬ１を解錠したのかを容易に確認することができ、確実な管理を行うことができる。
（第１実施形態）
図２は本発明の第１実施形態を示すブロック図である。この図２では、保管手段ＣＬ１として例えば金庫１が示されている。この金庫１は、同一エリアに複数、あるいは複数エリアにそれぞれ分散して配置することができる。金庫１には、扉３が備えられ、電子ロック５によって施錠できるようになっている。従って、扉３は電子ロック５の解錠により開くことが可能である。この電子ロック５は、ＭＰＵボード７に接続され、該ＭＰＵボード７の信号によって解錠、施錠の制御がなされるようになっている。従って、ＭＰＵボード７は本実施形態において解錠制御手段ＣＬ１の扉解錠制御手段を構成している。
【００２６】
前記金庫１には、扉３を開けると内部に図３のように複数の内部保管棚９，１１，１３，１５，１７，１９，２１，２３，２５が備えられている。この各内部保管棚９，１３，…にはそれぞれ棚扉９ａ，１１ａ，１３ａ，１５ａ，１７ａ，１９ａ，２１ａ，２３ａ，２５ａが備えられ、それぞれ電子ロック９ｂ，１１ｂ，１３ｂ，１５ｂ，１７ｂ，１９ｂ，２１ｂ，２３ｂ，２５ｂの施錠によって保管対象物を保管することができるようになっている。保管対象物としては例えば印、手形、現金、その他種々のものがある。
【００２７】
前記各電子ロック９ｂ，１１ｂ，…の選択的な解錠により、棚扉９ａ，…を選択的に開くことができ、保管対象物としての印、手形などをそれぞれ選択的に取り出すことができる。電子ロック９ｂ，１１ｂ，１３ｂ，１５ｂ，１７ｂ，１９ｂ，２１ｂ，２３ｂ，２５ｂは、それぞれ前記ＭＰＵボード７に接続され、ＭＰＵボード７の信号によって解錠、施錠が可能となっている。従って、前記ＭＰＵボード７は本実施形態において解錠制御手段ＣＬ１の棚解錠制御手段を構成している。
【００２８】
前記金庫１には、扉３の電子ロック５を解錠するために生体情報を入力する生体情報入力手段ＣＬ２の外部生体情報入力手段として外部指紋入力部２７が設けられ、前記ＭＰＵボード７に接続されている。また金庫１内部には、前記内部保管棚９，１１，…を解錠するために生体情報を入力する生体情報入力手段ＣＬ２の内部生体情報入力手段として内部指紋入力部２９が設けられ、前記ＭＰＵボード７に接続されている。
【００２９】
本実施形態において、前記生体情報は従業者の人差し指などの指紋情報となっている。但し従業者の生体情報としては、例えば眼の情報、顔の情報、ＤＮＡ、声紋、さらには手の甲の静脈などの情報とすることも可能である。さらに金庫１の内部には、前記内部保管棚９，１１，…の何れかを選択するために入力する棚選択入力手段としてテンキー３１が設けられ、前記ＭＰＵボード７に接続されている。
【００３０】
前記ＭＰＵボード７は、外部指紋入力部２７によって入力された生体情報としての指紋情報、内部指紋入力部２９から入力された生体情報としての指紋情報を予め登録された生体情報としての指紋情報と照合し、生体情報照合手段ＣＬ４を構成している。そして、ＭＰＵボ−ド７は、外部指紋入力部２７より入力された指紋情報の照合で登録者である従業者の確認がなされたとき、扉３の解錠を行うために電子ロック５に解錠信号を出力する。また、ＭＰＵボ−ド７は、内部指紋入力部２９により入力された指紋情報の照合で登録者である従業者の確認がなされ且つテンキー３１による棚の選択入力があったとき、選択された内部保管棚９，１１，１３，…の解錠を行うために電子ロック９ｂ，１１ｂ，１３ｂ，…の何れかへ解錠信号を出力する。
【００３１】
さらに前記金庫１には、図２のように、扉３の前面にディスプレイ３３が設けられている。ディスプレイ３３には、例えば図４のような各種メニューがタッチパネルとして表示された初期画面の他、各メニューに応じた詳細及び各種の表示ができるようになっている。例えば図４のように、内容表示３５をタッチしたときには、各内部保管棚９，１１，１３，…内の保管対象物の内容がディスプレイ３３上に内部保管棚９，１１，１３，…に対応した形で表示されるようになっている。また解錠３７をタッチしたときには、電子ロック５を解錠するための操作メニューが表示される。指紋登録３９をタッチしたときには、外部指紋入力部２７を用いて従業者の指紋登録を行う場合のメニューが表示される。ログ表示４１をタッチしたときには、金庫１の扉３を開けて保管対象物の何れかを取り出した従業者の従業者番号、氏名、解錠時間、取り出した保管対象物などが表示されるようになっている。その他、指紋入力が行われたときは、該指紋が表示され、従業者は、指紋入力を確認することが出きる。
【００３２】
また、図２のように、前記ＭＰＵボード７には、無停電電源装置（ＵＰＳ）４３が接続され、該無停電電源装置４３を介してＭＰＵボード７に電気が供給されるようになっている。
【００３３】
さらに、前記ＭＰＵボード７には、ＬＡＮ接続などによってログ確認用端末機４５が接続されると共に、例えば電話回線４７を介しホストコンピュータ４９にＷＡＮ接続されている。
【００３４】
前記ホストコンピュータ４９は、データベース５１を備えている。データベース５１には、従業者情報が記憶されている。従業者情報としては、登録された従業者個人の氏名、年齢、住所、指紋情報などとなっている。このデータベース５１は、新入社員あるいは退職社員があるたびに更新できるようになっており、常に最新の情報が記憶されている。また、前記ＭＰＵボード７には、電話回線４７を介しログ確認用端末機５３が接続されている。
【００３５】
図５は、前記ＭＰＵボード７の詳細を示したもので、指紋読取回路５５、検索回路５７、指紋情報・従業員情報データ５９、メモリ６１、扉解錠回路６３、棚選択解錠回路６５を備えている。
【００３６】
前記指紋読取回路５５は、前記外部指紋入力部２７、内部指紋入力部２９と共に生体情報入力手段ＣＬ２を構成するもので、入力部２７，２９から入力された指紋を読み取るものである。前記検索回路５７は、前記生体情報照合手段ＣＬ４を構成するもので、記憶されている従業者情報及び指紋情報を読み込み、指紋読取回路５５で読み取られた指紋と照合を行って従業者を特定し、登録された従業者の確認を行う。
【００３７】
前記指紋情報・従業者情報データ５９は、前記生体情報登録手段ＣＬ３を構成するもので、前記各従業者の指紋情報、従業者情報を予め記憶している。この指紋情報・従業者情報データ５９に記憶される指紋情報従業者情報は、例えば図２のデータベース５１からダウンロードされるものである。但し、各金庫１毎に指紋情報・従業者情報を入力し、記憶させることもできる。
【００３８】
前記扉解錠回路６３は、前記解錠制御手段ＣＬ５を構成するもので、前記外部指紋入力部２７により入力された指紋情報の照合で登録者である従業者の確認がなされたとき、扉３の解錠を行うために電子ロック５に解錠信号を出力する。
【００３９】
前記棚選択解錠回路６５は、前記内部指紋入力部２９により入力された指紋情報の照合で従業者の確認がなされ且つ、テンキー３１による内部保管棚９，１１，１３，…の選択入力があったとき、選択された内部保管棚９，１１，１３，…の解錠を行うために何れかの電子ロック９ｂ，１１ｂ，１３ｂ，…に解錠信号を出力する。
【００４０】
前記メモリ６１は、前記記録手段ＣＬ６を構成するもので、前記電子ロック５，９ｂ，１１ｂ，１３ｂ，…の解錠に基づき照合が確認された登録者、すなわち従業者の氏名、従業者番号、年齢、解錠時間及び取り出した保管対象物を記録する。保管対象物の記録は、内部保管棚９，１１，１３毎にそれぞれ保管対象物の種類が特定されており、何れかの内部保管棚９，１１，１３，…を開くことにより自動的に保管対象物の種類がメモリ６１に記録されることになる。
【００４１】
次に、図６のフローチャートを用いて作用を説明する。ステップＳ１では、指紋入力の処理が実行される。このステップＳ１での指紋入力は、扉３を開けるためのもので、外部指紋入力部２７において従業者が指紋入力を行う。ステップＳ２では、該当データの読み込みが実行される。これによってデータベース５９に記憶されている指紋情報、従業者情報のデータが読み込まれることになる。
【００４２】
ステップＳ３では、指紋照合の処理が実行される。すなわち前記指紋読取回路５５で読み取られた指紋情報と、データベース５９から読み込まれた指紋情報とが照合され、一致すればステップＳ４へ移行し、不一致であれば処理が終了することになる。従って、登録された従業者以外は、金庫１の扉３を開けることはできない。
【００４３】
ステップＳ４では、ドア解錠の処理が実行される。ここでは検索回路５７からの一致信号によって扉解錠回路６３が電子ロック５へ扉解錠信号を出力し、電子ロック５を解錠する。これによって従業者は扉３を開くことができる。
【００４４】
ステップＳ５では、従業者番号、氏名、解錠時間の記録が実行される。ここでは検索回路５７からの信号と、図示しないタイマの信号とによって、メモリ６１に従業者番号、氏名、解錠時間が記録されることになる。
【００４５】
ステップＳ６では、再び指紋入力の処理が実行される。ここでは金庫１の扉３が開かれ、図３のように内部保管棚９，１１，１３，…の各棚扉９ａ，１１ａ，１３ａ，…を開くために指紋を入力する。従って、内部指紋入力部２９に人差し指などを当てて指紋入力を行うことになる。
【００４６】
ステップＳ７では、指紋照合の処理が実行される。この指紋照合の処理は、前記ステップＳ３と同様であり、指紋読取回路５５からの情報とデータベース５９からの情報とにより指紋照合が一致すればステップＳ８へ移行し、一致しなければ処理が終了することになる。従って、ここでも登録された従業者以外は内部保管棚９，１１，１３，…を開くことはできない。
【００４７】
ステップＳ８では、棚選択入力の処理が実行される。ここではテンキー３１の操作によって各内部保管棚９，１１，１３，…の何れかの該当番号１，２，３，…を入力することによって選択することになる。
【００４８】
ステップＳ９では、棚選択入力があったか否かの処理が実行される。ここではテンキー３１による入力があったか否かが判断され、入力があればステップＳ１０へ移行し、入力がなければ処理が終了することになる。従って、金庫１の扉３を開けても、各内部保管棚９，１１，１３，…が選択されなければ処理が終了することになる。なお、テンキー３１によって暗証番号入力の後に各内部保管棚９，１１，１３，…の該当番号を押す構成にすることも可能であり、暗証番号の入力がない限り、ステップＳ９の判断は棚選択入力がないものとなり、そのまま処理が終了することになる。従って、より確実な管理を行うことができる。
【００４９】
ステップＳ１０では、棚選択解錠の処理が実行される。ここでは検索回路５７及びテンキー３１からの信号により棚選択解錠回路６５が選択された内部保管棚９，１１，１３，…の何れかの電子ロック９ｂ，１１ｂ，１３ｂ，…に解錠信号を出力することになる。これによって登録された従業者は何れかの内部保管棚９，１１，１３，…から保管対象物である印、手形などを取り出すことができる。
【００５０】
ステップＳ１１では、従業員番号、氏名、解錠時間、保管対象物記録の処理が実行される。ここでは検索回路５７、棚選択解錠回路６５及び図示しないタイマからの信号によりメモリ６１に従業者番号、氏名、解錠時間、保管対象物である印、手形などの記録が行われる。
【００５１】
前記記録を確認するときには、図２のログ確認用端末４５，５３によって容易に確認することができる。従って、登録された従業者は、指紋入力を行うという簡単な操作で金庫１内から保管対象物を取り出すことができ、作業が極めて容易である。またログ確認用端末４５，５３によって何時、どの従業者がどの保管対象物を取り出したかを容易に確認することができ、確実な管理を行うことができる。
【００５２】
ステップＳ１２では、扉及び棚施錠信号の読み込みの処理が実行される。ここでは、前記扉３及び内部保管棚９，１１，１３，…の電子ロック５，９ｂ，１１ｂ，…が施錠されたときの電気信号を読み込む。
【００５３】
ステップＳ１３では、扉及び棚施錠か否かの判断が行われ、施錠が確認されれば処理は終了し、施錠が確認されなければステップＳ１４へ移行する。ステップＳ１４では、一定時間の経過が判断される。一定時間としては、金庫１を開けて保管対象物を取り出し、再び閉めるまでにかかる時間に余裕時間を見て５分程度とする。但し、この時間は、任意に設定することができる。
【００５４】
ステップＳ１４で、一定時間が経過していないと判断されたときは、ステップＳ１１へ移行し前記記録が継続される。ステップＳ１４で一定時間が経過したと判断されたときは、ステップＳ１５へ移行しブザーなどによる警報が発せられ、処理は終了する。従って、金庫１を開けた従業者は、ブザー音を聞くことにより金庫１の施錠を促され、確実に施錠させることができる。このようにして金庫１の扉３、内部保管棚９，１１，１３，…の何れかが開けっ放し、例えば内部保管棚９，１１，１３，…が開けっ放しで扉３が閉じられたときなどでも警報が発せられ、確実に施錠させることができる。
【００５５】
尚、上記第１実施形態では、外部指紋入力部２７、内部指紋入力部２９の双方を設けたが、何れか一方のみ設ける構成にすることもできる。内部指紋入力部２９のみを設ける場合には、扉３はダイヤル式の機械的なロックで施錠、解錠を行う構成にすることもできる。また外部指紋入力部２７を設け、内部指紋入力部２９及びテンキー３１は双方とも省略することができる。この場合でも、何れかの内部保管棚９，１１，１３，…を開けたときにその信号によって選択対象物を記録することにより、何時、どの従業者がどの保管対象物を取り出したかを記録することができる。
【００５６】
さらに本実施形態では、ステップＳ５とステップＳ１１において、それぞれ記録するようにし、扉３を開けた従業者と各内部保管棚９，１１，１３，…を開けた従業者とが異なった場合でもその記録を正確に行うことができ、確実な管理を行うことができるが、ステップＳ５を省略する構成にすることも可能である。
【００５７】
また、本実施形態では、全ての従業者が、全ての内部保管棚９，１１，１３，…を開けることができる構成であるが、従業者毎に開けられる内部保管棚９，１１，１３，…を異ならせる構成にすることもできる。これは、暗証番号の入力などにより区別することができ、こうすることにより、最も重要な保管対象物の場合は、責任者のみ取り出すことができるという構成にすることができる。
（第２実施形態）
図７，図８，図９は本発明の第２実施形態を示している。本実施形態では、金庫１内の保管対象物の保管状況を画像で確認し、記録することができるようにしたものである。図７は、金庫１の扉を省略して示したものである。本実施形態においては、金庫１内に内部保管棚は設けられておらず、金庫１内に直接各保管対象物６７，６９などが保管されている。但し、内部保管棚を設け、個々の内部保管棚にカメラを設け、個々の内部保管棚毎に画像で確認し記録する構成にすることもできる。
【００５８】
前記金庫１の扉３等の構成は、上記第１実施形態と同様であり、電子ロック５、外部指紋入力部２７、ディスプレイ３３を備え、また金庫１にはこれらを接続するＭＰＵボード７、無停電電源装置４３が備えられている。
【００５９】
一方本実施形態では、金庫１内の内部上壁に、撮像手段として、例えばＣＭＯＳカメラ７１が取り付けられている。また金庫１内の上壁にはさらに照明装置７３，７５が取り付けられている。また図７では図示はしないが、金庫１には図８のようにドアスイッチ７７が設けられている。さらにＣＭＯＳカメラ７１は、図８のように画像記録装置７９に接続されている。図８の画像記録装置７９はＣＰＵ８１、ビデオデコーダ８３、フィールドメモリ８５、フラッシュメモリ８７を備えている。
【００６０】
前記ＣＭＯＳカメラ７１は撮像手段を構成するもので、保管対象物６７，６９などの保管状況を撮像する。ＣＭＯＳカメラ７１は、ＣＣＤカメラなどで構成することもできる。
【００６１】
前記ＣＰＵ８１は、信号処理を行うものである。前記フィールドメモリ８５はＣＭＯＳカメラ７１によって入力された画像データをビデオデコーダ８３を介して入力し、順次更新しながら所定枚数記憶していくものである。前記フラッシュメモリ８７は、ドアスイッチ７７からのトリガー信号を受けたときにフィールドメモリ８５から転送された画像データを記憶するものである。すなわちフラッシュメモリ８７は、本実施形態において画像記録手段を構成している。
【００６２】
次に図９のフローチャートを用いて本実施形態の作用を説明する。まず、ステップＳ２１において、ＣＭＯＳカメラによる撮像の処理が実行される。すなわち照明装置７３，７５の照明により金庫１内が照明された状態で、ＣＭＯＳカメラ７１により金庫１内の保管対象物６７，６９などの保管状況が撮像される。
【００６３】
ステップＳ２２においては、画像データをフィールドメモリに記憶の処理が実行される。すなわちＣＭＯＳカメラ７１においてＣＤＳ回路、ＡＧＣ回路、Ａ／Ｄ変換回路介してディジタル信号化され、信号処理が行われる。この信号処理はコード信号処理、色信号処理、輪郭補正処理、エンコード処理であり、Ｄ／Ａ変換されてアナログのコード信号と色度信号とが出力されるものである。
【００６４】
ステップＳ２３ではドアスイッチの読込の処理が実行される。この処理では、金庫１のドアスイッチ７７のオン、オフ信号が読み込まれることになる。ステップＳ２４ではドアスイッチオンか否かの判断が実行される。この処理では、金庫１のドアが開けられ、ドアスイッチ７７がオンであればステップＳ２６へ移行し、ドアスイッチがオフであればステップＳ２５へ移行することになる。
【００６５】
ステップＳ２５では、フィールドメモリ記憶ページ更新の処理が実行され、順次新しいものが記憶され、常に最新のものから所定枚数分だけ記憶されることになる。従って、前記ログ確認端末装置４５や５３によって金庫１内の保管状況を画像によって何時でも確認することができる。
【００６６】
ステップＳ２６では、ドアスイッチオンによってトリガー出力がなされ、ステップＳ２７においてフラッシュメモリにフィールドメモリデータを転送／記憶更新禁止処理が実行される。この処理はＣＰＵ８１によって行われるもので、かかる処理によりフィールドメモリ８５に記憶したデータがフラッシュメモリ８７に転送され、そのときの画像データがフラッシュメモリ８７に記憶されることになる。
【００６７】
ステップＳ２８では、ドアスイッチ読込の処理が実行され、ステップＳ２９においてドアスイッチオンか否かの判断が行われる。これによって金庫１のドアが閉じられドアスイッチが再びオフとなればステップＳ３０へ以降し、ドアスイッチがオンのままであればステップＳ２８，ステップＳ２９の処理が繰り返される。
【００６８】
ステップＳ３０では、記憶更新禁止処理解除の処理が実行される。これによって再びフィールドメモリ８５での記憶更新が実行されることになる。ステップＳ３８では、フィールドメモリ８５に記憶した最新のデータがフラッシュメモリ８７に転送され、そのときの画像データがフラッシュメモリ８７に記憶されることになる。従って、金庫１を開けたときの記録画像と、その後金庫を閉めたときの最新画像とを確認することにより、保管対象物６７，６９の変化を画像により確認することができる。
【００６９】
このようにして金庫１内の保管対象物６７，６９の保管状況をログ確認端末装置４５，５３によって常に確認することができると共に、金庫１の扉が開閉され、保管対象物６７，６９が取り出されたときにはその時の画像が記録され、前記指紋入力による記録と共に何時、どの従業者がどの保管対象物６７，６９を取り出したのかを容易に確認することができる。従って、本実施形態においては、保管対象物６７，６９の保管状況を直接画像によって確認することができ、保管対象物６７，６９の管理をより確実に行うことができる。また、その他第１実施形態と略同様な作用効果を奏することができる。
【００７０】
なお、上記実施形態では、ＣＭＯＳカメラ７１により、保管対象物６７，６９を撮像するようにしたが、併せて、金庫１を開けた従業者の顔を撮像する構成にすることもできる。この場合、顔撮像用のＣＭＯＳカメラを増設することもできる。
図１０，図１１は、本発明の参考例を示し、図１０は保管手段の正面図、図１１はフローチャートである。本実施形態においては、キーの取り出し管理を行うようにしたものである。すなわち図１０のように、本実施形態において、保管手段ＣＬ１として複数のキー７７，７９，８１，…をそれぞれ施錠によって保管すると共に、選択的な解錠によりキー７７，７９，８１，…を選択的に取り出し可能なキー保管盤８３としたものである。
【００７１】
このキー保管盤８３は、複数のキー７７，７９，８１をそれぞれ施錠によって保管する電子ロックで構成されたフック８５，８７，８９，…が設けられ、各キー７７，７９，８１，…が保管されている。またキー保管盤８３には、生体情報入力手段として指紋入力部９１が備えられ、またキー選択入力手段としてキー選択用テンキー９３が設けられている。
【００７２】
前記指紋入力部９１は、第１実施形態の外部指紋入力部２７などと同様な構成となっており、ＭＰＵボード９５に接続されている。また前記キー選択用テンキー９３は、前記第１実施形態のテンキー３１と同様な構成となっており、ＭＰＵボード９５に接続されている。ＭＰＵボード９５の出力側は、各フック８５，８７，８９，…に接続され、解錠制御手段として指紋入力部９１により入力された生体情報としての指紋情報の照合で従業者の確認がなされ、且つキー選択用テンキー９３によるキーの選択入力があったとき、選択されたキーに対応するフック８５，８７，８９，…を解錠する。尚、図１０において図示はしないが、ＭＰＵボード９５は第１実施形態と同様に無停電電源装置（ＵＰＳ）を介し電源に接続されている。
【００７３】
次に図１１のフローチャートを用いて本参考例の作用を説明する。ステップＳ３１，Ｓ３２，Ｓ３３は、第１実施形態の図６のステップＳ１，Ｓ２，Ｓ３に対応している。従って、ステップＳ３３において指紋照合が一致し、登録された従業者の確認がなされたときはステップＳ３４へ移行し、指紋照合が不一致であれば処理はそのまま終了することになる。ステップＳ３４では、キー選択入力の読込が行われる。ここでは前記キー選択用テンキー９３によって何れかのキー７７，７９，８１，…の該当する番号の入力信号が読み込まれることになる。この場合第１実施形態と同様に暗証番号を入力してから、該当するキー７７，７９，８１，…に対応した番号を入力する構成にすることもできる。
【００７４】
ステップＳ３５では、キー選択入力があったか否かの判断が行われる。キー選択入力があればステップＳ３６へ移行し、なければ処理はそのまま終了することになる。従って、第１実施形態と同様に指紋入力があってもキー選択用テンキー９３によってキー選択入力がなされなければ処理はそのまま終了することになる。また暗証番号を入力する形態にした場合には、暗証番号が入力されなければ対応するキー７７，７９，８１，…の番号が入力されても処理はそのまま終了することになる。
【００７５】
ステップＳ３６では選択解錠の処理が実行される。ここではＭＰＵボード９５により指紋照合で登録された従業者の確認がなされ、且つキー選択入力があったとき選択されたキー７７，７９，８１，…に対応するフック８５，８７，８９，…を解錠することになる。これによって確認がなされた従業者は、何れかの選択したキー７７，７９，８１，…を取り出すことができる。
【００７６】
ステップＳ３７では従業員番号、氏名、解錠時間、キー種の記録の処理が実行される。ここではＭＰＵボード９５において第１実施形態と同様に従業員番号、氏名、解錠時間が記録され、さらに本実施形態ではフック８５，８７，８９，…の解錠信号によりＭＰＵボード９５がキー７７，７９，８１の種類を記録することになる。
【００７７】
従って、何時、どの従業者がどのキー７７，７９，８１，…を取り出したのかを確実に管理することができる。また従業者が指紋入力部９１に指紋を入力し、キー選択用テンキー９３に入力するだけでキー７７，７９，８１，…の何れかを取り出すことができ、キーの取り出しが極めて容易である。
【図面の簡単な説明】
【図１】  本発明の構成図である。
【図２】  本発明の第１実施形態に係るブロック図である。
【図３】  第１実施形態に係り、金庫の扉を開いた状態の概略正面図である。
【図４】  第１実施形態に係り、ディスプレイの表示の一例を示す説明図である。
【図５】  第１実施形態に係り、ＭＰＵボード７のブロック図である。
【図６】  第１実施形態に係るフローチャートである。
【図７】  本発明の第２実施形態に係り、扉を省略した状態の金庫１の正面図である。
【図８】  第２実施形態に係るブロック図である。
【図９】  第２実施形態に係るフローチャートである。
【図１０】  本発明の参考例に係るキー保管盤の概略正面図である。
【図１１】  参考例に係るフローチャートである。
【符号の説明】
ＣＬ１  保管手段（金庫１、キー保管盤８３）
ＣＬ２  生体情報入力手段（外部指紋入力部２７、内部指紋入力部２９、指紋入力部９１）
ＣＬ３  生体情報登録手段（ＭＰＵボード７、指紋情報・従業者情報データ５９）
ＣＬ４  生体情報照合手段（ＭＰＵボード７、検索回路５７）
ＣＬ５  解錠制御手段（ＭＰＵボード７，９５）
ＣＬ６  記録手段（ＭＰＵボード７，９５）
【図１】
0003650725.tif 000002
【図２】
0003650725.tif 000003
【図３】
0003650725.tif 000004
【図４】
0003650725.tif 000005
【図５】
0003650725.tif 000006
【図６】
0003650725.tif 000007
【図７】
0003650725.tif 000008
【図８】
0003650725.tif 000009
【図９】
0003650725.tif 000010
【図１０】
0003650725.tif 000011
【図１１】
0003650725.tif 000012